(57)【特許請求の範囲】
【請求項１】
水分量が８０〜９９重量％で且つ２５℃でのｐＨが７．５〜９．５の液体消臭剤であって、アミンオキシド型界面活性剤を０．１〜２．０重量％含有し、且つ該液体消臭剤１０００ｍｌを２５℃でｐＨ１０にするために必要なＮ／１０ＮａＯＨ水溶液が１０〜２００ｍｌであり、２５℃でｐＨ７にするために必要なＮ／１０Ｈ２ＳＯ４水溶液が２０〜５００ｍｌである性質を有する液体消臭剤。
【請求項２】
アミンオキシド型界面活性剤が、下記の一般式（II）又は（III）のアミンオキシドである請求項１記載の液体消臭剤。
【化１】
0003652947.tif 000004
〔式中、Ｒ１は炭素数８〜１８のアルキル基又はアルケニル基であり、Ｒ２、Ｒ３は炭素数１〜３のアルキル基又はヒドロキシアルキル基、Ｒ５は炭素数１〜５のアルキレン基である。Ｙは−ＣＯＮＲ６−、−ＮＲ６ＣＯ−、−ＣＯＯ−又は−ＯＣＯ−である。ここで、Ｒ６は水素原子又は炭素数１〜３のアルキル基である。〕
【請求項３】
更に酸剤、アルカリ剤及び／又は塩を含有する請求項１又は２記載の液体消臭剤。
【請求項４】
請求項１〜３の何れか１項記載の液体消臭剤を消臭対象である繊維製品に噴霧することにより繊維製品を消臭する方法。
【請求項５】
請求項１〜３の何れか１項記載の液体消臭剤を手動式噴霧装置付き容器に充填した液体消臭剤物品。
【発明の詳細な説明】
【０００１】
【発明の属する技術分野】
本発明は、繊維製品の消臭剤及びその消臭方法に関する。
【０００２】
【従来の技術及び発明が解決しようとする課題】
洗濯習慣の変化により、着用した衣料はその都度洗濯することが一般的になっているが、スーツやセーター等の衣料は一般家庭では洗濯が難しく、洗濯回数も一般の衣料に比べて格段に少ない。このため、体臭、たばこ臭、焼き肉等の調理臭が付着し、不快感を生じさせる。また、絨毯や玄関マット等も同様に洗濯することが難しく、部分的な汚れに由来する不快臭の問題がある。
【０００３】
特開昭６１−１９３６６５号公報、特開平４−２５７５１４号公報に開示されているように消臭剤に植物エキス等の消臭成分を配合したり、組成物に緩衝能を持たせることが行われている。しかしこれらの方法は、使用当初は消臭効果が得られるが、その効果が持続しないという問題があった。
【０００４】
また、消臭の対象となる臭い物質はピリジン等のアミン系悪臭や低級脂肪酸等の酸系悪臭成分等の様々な物質からなるが、上記方法では消臭できる対象が限られ、様々な悪臭成分に対して高い消臭効果を有する消臭剤が望まれている。
【０００５】
従って本発明の目的は、繊維製品に対して高い消臭性能と持続性を有する液体消臭剤を提供することにある。
【０００６】
【課題を解決するための手段】
本発明は、水分量が８０〜９９重量％で且つ２５℃でのｐＨが７．５〜９．５の液体消臭剤であって、該液体消臭剤１０００ｍｌを２５℃でｐＨ１０にするために必要なＮ／１０ＮａＯＨ水溶液が１０〜２００ｍｌであり、２５℃でｐＨ７にするために必要なＮ／１０Ｈ2ＳＯ4水溶液が２０〜５００ｍｌである性質を有する液体消臭剤、並びに
水分量が８０〜９９重量％で且つ２５℃でのｐＨが７．５〜９．５の液体消臭剤であって、分子中に少なくとも１つの４級アンモニウム基又はアミンオキサイド基と１つ又は２つの炭素数８〜２２のアルキル基又はアルケニル基を有する化合物を０．１〜２．０重量％含有する液体消臭剤を提供するものである。
【０００７】
【発明の実施の形態】
本発明の液体消臭剤の水分量は、十分な消臭効果を有し且つ繊維製品の風合いを損なわないよう、８０〜９９重量％、好ましくは９０〜９６重量％である。また、本発明の液体消臭剤の２５℃でのｐＨは、アミン系の悪臭成分及び低級脂肪酸系の悪臭成分のいずれにも十分な消臭効果を得るために７．５〜９．５、好ましくは７．５〜９．０である。
【０００８】
本発明の液体消臭剤は、上記ｐＨ７．５〜９．５の液体消臭剤１０００ｍｌを、２５℃でｐＨ１０にするためにＮ／１０ＮａＯＨ水溶液を１０〜２００ｍｌ必要とし、且つ２５℃でｐＨ７にするためにＮ／１０Ｈ２ＳＯ４水溶液を２０〜５００ｍｌ必要とするような性質（以下、ｐＨ変動抑制能という）を有する。
【０００９】
このようなｐＨ変動抑制能を得るためには、通常、緩衝溶液として知られている酸剤、アルカリ剤及び／又は塩〔以下（ａ）成分という〕を配合することによって達成することができる。具体的には、酸剤としては、乳酸、グルコン酸、コハク酸、グルタル酸、アジピン酸、リンゴ酸、酒石酸、マレイン酸、フマル酸、イタコン酸、クエン酸、フタル酸、酢酸、安息香酸、サリチル酸、ジエチルバルビツル酸等のカルボン酸、グリシン、アラニン、バリン、ロイシン、セリン、グルタミン酸、アスパラギン酸等のアミノ酸、又はりん酸、ホウ酸等の無機酸が挙げられ、アルカリ剤としては、トリエタノールアミン等のアルカノールアミンの他、水酸化ナトリウム、水酸化カリウム等の無機塩基が挙げられる。塩としては、前記酸剤とアルカリ剤との中和反応により生成される塩の他に、アルカリ金属炭酸塩やアルカリ金属珪酸塩等を用いてもよい。
【００１０】
これらの中でも特にりん酸、クエン酸、コハク酸、マレイン酸、フマル酸から選ばれる酸剤及び／又はそれらのアルカリ金属塩を配合することが好ましい。
【００１１】
なお、本発明の目的とするｐＨ範囲の液体消臭剤を調製する方法としては、前記の酸剤、アルカリ剤及び／又は塩を水に溶解ないし分散させてから、酸剤やアルカリ剤ないしそれらの水溶液を用いて、所定のｐＨ範囲に調整する方法が挙げられる。調整のための酸剤やアルカリ剤は前記の化合物と同じ化合物を使用することができるが、ｐＨ調整のための酸剤として塩酸又は硫酸の水溶液を使用することもできる。また、ｐＨ調整のためのアルカリ剤としては、水酸化ナトリウム又は水酸化カリウムの水溶液を使用することが好ましい。最も好ましい調製方法は、酸剤及び／又は塩の水溶液に水酸化ナトリウム水溶液又は塩酸もしくは硫酸水溶液を添加することで、所定のｐＨに調整する方法である。
【００１２】
（ａ）成分は、所定のｐＨ変動抑制能を有するような量配合される。なお、前記の好ましい化合物であるりん酸、クエン酸、コハク酸、マレイン酸、フマル酸から選ばれる酸剤及び／又はそれらのアルカリ金属塩の液体消臭剤中の含有量は、好ましくは０．０１〜３．０重量％、より好ましくは０．０５〜２．０重量％である。
【００１３】
また、本発明では（ｂ）成分として、分子中に少なくとも１つの４級アンモニウム基又はアミンオキサイド基と１つ又は２つ、好ましくは１つの炭素数８〜２２のアルキル基又はアルケニル基を有する化合物を配合することが好ましい。このような化合物は、ｐＨ変動抑制能による消臭効果に加えて臭気成分の揮発をさらに抑制するように作用するため、より高い消臭効果を保つことができ、且つ処理後の消臭持続性を向上させる傾向がある。
【００１４】
（ｂ）成分としては、４級アンモニウム塩型界面活性剤、スルホベタイン、カルボベタイン、アミンオキシド等の両性界面活性剤を挙げることができる。繊維製品の消臭剤として使用する場合は、これらの中でも炭素数８〜１８のアルキル基もしくはアルケニル基を１つ有する４級アンモニウム塩又はアミンオキシド型界面活性剤を用いることが好ましく、下記一般式（I）の４級アンモニウム塩及び一般式（II）又は（III）のアミンオキシドがより好ましく、一般式（III）のアミンオキシドが最も好ましい。
【００１５】
【化１】
0003652947.tif 000002
【００１６】
[式中、Ｒ１は炭素数８〜１８のアルキル基又はアルケニル基であり、Ｒ２、Ｒ３、Ｒ４は炭素数１〜３のアルキル基又はヒドロキシアルキル基、Ｒ５は炭素数１〜５のアルキレン基である。Ｙは−ＣＯＮＲ６−、−ＮＲ６ＣＯ−、−ＣＯＯ−又は−ＯＣＯ−である。ここで、Ｒ６は水素原子又は炭素数１〜３のアルキル基である。Ｘはハロゲンイオン、炭素数１〜１４の脂肪酸又は炭素数１〜３のアルキルサルフェートを示す。]
（ｂ）成分は、十分な消臭持続性と繊維の風合いを損なわないように、液体消臭剤中に０．１〜２．０重量％、好ましくは０．２〜１．５重量％含有する。
【００１７】
本発明では、（ａ）成分又は（ｂ）成分のいずれか一方を用いることにより、高い消臭効果と持続性を得ることができるが、（ａ）成分と（ｂ）成分を併用することが特に好ましい。
【００１８】
また、処理後の繊維製品からの液体消臭剤の揮発を容易にして乾燥させやすくするため、エタノールを好ましくは１〜１０重量％、より好ましくは２〜８重量％含有する。なお、エタノールは変性エタノールを使用することができ、特に８−アセチル化蔗糖変性エタノール又はポリオキシエチレンアルキルエーテル硫酸ナトリウム変性エタノールを用いることが好ましい。
【００１９】
香料成分は、マスキング作用を考慮して使用することで、より好まれる仕上がりになる。香料成分は、他の成分に影響されない化合物が選ばれる。
【００２０】
本発明の液体消臭剤には、さらに可溶化剤として、イソプロパノール等の低級（炭素数３〜４）アルコール類、エチレングリコール、プロピレングリコール、グリセリン、ソルビトール等の多価アルコール類（炭素数２〜１２）、ｐ−トルエンスルホン酸塩、ｍ−キシレンスルホン酸塩等の芳香族スルホン酸塩類を配合することができる。また、色素、増粘剤等を所望により配合してもよく、エタノールを配合しないか又は配合量が少なく抗菌性が懸念される場合は、防腐・防黴剤を配合することが好ましい。
【００２１】
本発明の液体消臭剤は、噴霧により泡立たないものが好ましく、泡立ちが少なく均一な液滴として噴霧するために、（ｂ）成分以外の界面活性剤は、含有量が２重量％以下であり、１重量％以下が好ましく、特に１．５重量％以下が好ましい。
【００２２】
本発明の液体消臭剤の使用方法は、液体消臭剤を繊維製品に噴霧して使用する方法が好ましい。特にスプレーにより噴霧する方法が好ましく、スプレーはトリガー式スプレーが好ましく、特に実開平４−３７５５４号公報の第１図に示されているような液垂れや噴霧の均一性に優れる蓄圧式トリガーを用いることが良好である。
【００２３】
液体消臭剤の繊維製品に対する使用量は、擦る場合は湿らせる程度であり、噴霧の場合は繊維製品１００〜８００ｃｍ２に対して、好ましくは０．２〜０．７ｇの割合である。
【００２４】
【実施例】
配合例１〜８
表１に示す組成の液体消臭剤を調製した。なお、液体消臭剤はＮ／１０ＮａＯＨでｐＨ８．５に調整した。下記に示す消臭対象物を用いて、下記に示す消臭方法にて処理した直後の消臭性能及び室内（２０℃）で２４時間陰干し後の消臭性能を調べた。これらの結果を表１に示す。
＜消臭対象物の調製＞
・たばこ臭繊維製品の調製
床面積５×５ｍ、高さ３ｍの密閉された喫煙室の１方の壁に、１×１ｍの木綿金布２００３＃を床から布の上辺までの高さが３ｍになるように床に対して垂直に吊るした。この喫煙室で、２時間の間、１０人の男性が各人３本づつのたばこを喫煙した。その後、上記布を２０×２０ｃｍの試験片として実験に供した。
・汗臭繊維製品の調製
１０人の男性が２４時間着用した肌着（グンゼ製半袖アンダーシャツ、グンゼＹＧ）をビニール袋に入れて密封した後、室内で３日間放置した。その後、２０×２０ｃｍに切断し、試験片として実験に供した。
＜消臭方法＞
市販の手動式スプレー容器（花王（株）製アイロン用スムーザー４００ｍｌの中身を抜いた手動式スプレー容器を匂いが無くなるまで洗浄し、自然乾燥させたもの）に液体消臭剤４００ｍｌ入れ、消臭対象物の全体に液がいきわたるように２回吹き付けた。
＜消臭性能評価＞
３０歳代の男性及び女性１０人（各５人ずつ）のパネルに消臭対象物の臭いを嗅いでもらい、下記の六段階臭気強度表示法で評価し、平均点を求めた。平均点０以上１未満を◎、平均点１以上２未満を○、２以上３未満を△、３以上５以下を×とした。◎又は○が好ましい。
【００２５】
０：無臭
１：何の臭いか分からないが、ややかすかに何かを感じる強さ（検知閾値のレベル）
２：何の臭いか分かる、容易に感じる弱い臭い（認知閾値のレベル）
３：明らかに感じる臭い
４：強い臭い
５：耐えられないほど強い臭い
【００２６】
【表１】
0003652947.tif 000003
【００２７】
【発明の効果】
本発明の液体消臭剤は、衣料を初めとする各種繊維製品に対して使用することで、使用当初から高い消臭性能を発揮し、その消臭効果の持続性も優れている。